(57)【要約】【課題】  トルクリミッタを用いないで、フィードブラケットおよびピックアップローラを保持できる安価な構成を実現する画像形成装置を提供する。【解決手段】  自動原稿給紙装置を備えた画像形成装置において、フィードブラケット１４をフィードローラ２軸線の長手方向の通紙幅外側まで延伸させ、この延伸したブラケット部２４の通紙幅外側の箇所に、前記フィードブラケット１４を持ち上げる方向に荷重を掛ける荷重付加手段２５を設ける。【選択図】  図１
2005200184.tif 000002
【特許請求の範囲】
【請求項１】
自動原稿給紙装置を備えた画像形成装置において、フィードブラケットをフィードローラ軸線の長手方向の通紙幅外側まで延伸させ、このフィードブラケット延伸部の通紙幅外側の箇所に、前記フィードブラケットを持ち上げる方向に荷重を掛ける荷重付加手段を設けることを特徴とする画像形成装置。
【請求項２】
前記フィードブラケット延伸部に掛ける荷重は、前記フィードブラケットおよびピックアップローラの保持トルク以上かつピックアップローラに押圧力を発生させるばねクラッチの空転トルクより小さくなるように構成されることを特徴とする請求項１記載の画像形成装置。
【請求項３】
前記荷重付加手段が引っ張りばねであることを特徴とする請求項１記載の画像形成装置。
【請求項４】
前記荷重付加手段が圧縮ばねであることを特徴とする請求項１記載の画像形成装置。
【請求項５】
前記荷重付加手段が捩りコイルばねであることを特徴とする請求項１記載の画像形成装置。
【発明の詳細な説明】
【技術分野】
【０００１】
本発明は、自動原稿給送装置およびスキャナを備えたファクシミリ、複写機等の画像形成装置に関するものである。
【背景技術】
【０００２】
図５は従来からのファクシミリの読み取り部における自動原稿給紙装置を示す概略図である。複数枚セットされた原稿４はピックアップローラ１からスタートし、フィードローラ２、リバースローラ３にて１枚ずつに分離される。
分離された原稿４は、搬送ローラ７、第１読み取りローラ８を経てスキャナ９部で読み取られ、第２読み取りローラ１０、排紙ローラ１１を経て排出される。
なお、図中、符号５は幅ガイド板、６は上ガイド板、１２は原稿検知センサ、１３は原稿トレイを示している。
図６は自動原稿給紙装置の駆動系の構成および分離部の構成を示す概略斜視図である。モータ２２から一連の駆動系を介して電磁クラッチ２１に駆動が伝達される。電磁クラッチ２１は通電オンのとき、駆動をフィード軸１５に伝達する。
電磁クラッチ２１が通電オフのときは、フィード軸１５には駆動が伝達されない。フィード軸１５に駆動が伝達される（通電オンの）とき、フィード軸１５上にあるフィードローラ２は回転駆動される。
ピックアップローラ１はピックアップ駆動ギヤ１８からアイドラギヤ１９ａ、１９ｂ、１９ｃ、ピックアップ従動ギヤ２０を経て駆動力を伝達され、ピックアップ押圧力を、ばねクラッチ１６の空転トルクがフィードブラケット１４に伝達されることで生み出している。
図７はピックアップローラの待機位置への動作を説明する概略斜視図である。
原稿４の搬送が終わるとピックアップローラ１を待機位置（実線）に戻すために駆動系が矢印の方向に回転する。ばねクラッチ１６は締まり方向のため、フィードブラケット１４を持ち上げピックアップローラ１は待機位置に戻る。
図５および図６に示すように、フィードローラ２、フィードブラケット１４、フィード軸１５、フィードブラケット１４にピックアップ軸を介して軸支されるピックアップローラ１、フィードブラケット１４を介してピクアップローラ１の押圧力を発生させるばねクラッチにより構成されるフィードユニットを有している。
複数枚の原稿を１枚ずつ読み取り部へ搬送する機能を有する自動原稿給紙装置において、駆動系からの駆動伝達を、電磁クラッチをオン／オフすることによって切り換えるような自動原稿給紙装置では、待機時、すなわち電磁クラッチへの通電オフのさいのピックアップローラの待機位置保持が課題となる。
前記のようなフィードユニット自体の構成は周知であり、自動原稿給紙装置に電磁クラッチ２１を有し、図７に示すように一端にトルクリミッタ２３を有することで、電磁クラッチ通電オフ時のフィードブラケット１４およびピックアップローラ待機位置を保持させることは従来技術により既知である。
この構成は電磁クラッチ２１のオン、オフに関係なく、ピックアップローラ１およびフィードブラケット１４の自重を上回る保持トルクを有するトルクリミッタ２３を有し、ピックアップローラ１の待機位置保持を達成しようとするものである。
【発明の開示】
【発明が解決しようとする課題】
【０００３】
ここで問題なのが、電磁クラッチ２１の通電オフ後のピックアップローラ１の待機位置保持である。電磁クラッチ２１の通電オフ時、フィード軸１５と電磁クラッチ２１との連結トルクは限りなくゼロになる。
その場合ピックアップローラ１およびフィードブラケット１４は自重により落下することになる。そこで上記の電磁クラッチ通電オフ時にフィードブラケット１４およびピックアップローラ１を待機位置に保持させることが望まれる。
本発明の目的は、上述した実情を考慮してなされ、トルクリミッタを用いないで、フィードブラケットおよびピックアップローラを保持できる安価な構成を実現する画像形成装置を提供することにある。
【課題を解決するための手段】
【０００４】
上記の課題を解決するために、請求項１に記載の発明は、自動原稿給紙装置を備えた画像形成装置において、フィードブラケットをフィードローラ軸線の長手方向の通紙幅外側まで延伸させ、この延伸したブラケット部の通紙幅外側の箇所に、前記フィードブラケットを持ち上げる方向に荷重を掛ける荷重付加手段を設ける画像形成装置を特徴とする。
また、請求項２に記載の発明は、前記フィードブラケット延伸部に掛ける荷重は、前記フィードブラケットおよびピックアップローラの保持トルク以上かつピックアップローラに押圧力を発生させるばねクラッチの空転トルクより小さくなるように構成される請求項１記載の画像形成装置を特徴とする。
また、請求項３に記載の発明は、前記荷重付加手段が引っ張りばねである請求項１記載の画像形成装置を特徴とする。
また、請求項４に記載の発明は、前記荷重付加手段が圧縮ばねである請求項１記載の画像形成装置を特徴とする。
また、請求項５に記載の発明は、前記荷重付加手段が捩りコイルばねである請求項１記載の画像形成装置を特徴とする。
【発明の効果】
【０００５】
本発明によれば、従来のようなトルクリミッタなしでもフィードブラケットおよびピックアップローラを保持できる安価な構成を提供できる。
【発明を実施するための最良の形態】
【０００６】
以下、図面を参照して、本発明の実施形態を詳細に説明する。図１は本発明による画像形成装置における自動原稿給紙装置の駆動系の構成および分離部の構成を示す概略斜視図である。
図１の本発明の構成は、従来技術のトルクリミッタを用いずに、図１に示すようにフィードブラケット１４をフィードローラ２の軸長手方向の通紙幅外側まで延伸させる。符号２４はフィードブラケット延伸部である。
この延伸したフィードブラケット延伸部２４の通紙幅外側の箇所に、フィードブラケット１４を待機位置に持ち上げるように、例えば、図１の矢印方向Ａに荷重を掛ける荷重付加手段を設ける。
上記の自動原稿給紙装置の構成において、以下の不等式を成り立たせる。すなわち、延伸したフィードブラケット延伸部２４の保持に必要なトルク≦上述したフィードブラケット延伸部２４に掛ける荷重≦ピックアップローラ１に押圧力を発生させるばねクラッチ１６の空転トルクを成り立たせる。
図２は本発明による自動原稿給紙装置の駆動系の構成および分離部の構成の第１の実施の形態を示す概略斜視図である。この第１の実施の形態において全体の構成は図１と同様であるので全体的な説明は省略する。
図２に示すように、この実施の形態では荷重付加手段として引っ張りばね２５を、フィードブラケット延伸部２４の通紙幅外側の箇所に、引っ掛けることによって、電磁クラッチ２１の通電オフ後もフィードブラケット延伸部２４を保持できる。
図３は本発明による自動原稿給紙装置の駆動系の構成および分離部の構成の第２の実施の形態を示す概略斜視図である。この第２の実施の形態において全体の構成は図１と同様であるので全体的な説明は省略する。
図３に示すように、この実施の形態では荷重付加手段として、圧縮ばね２６を、フィードブラケット延伸部２４の通紙幅外側の箇所に配置することによって、電磁クラッチ２１の通電オフ後もフィードブラケット延伸部２４を保持できる。
図４は本発明による自動原稿給紙装置の駆動系の構成および分離部の構成の第３の実施の形態を示す概略斜視図である。この第３の実施の形態において全体の構成は図１と同様であるので全体的な説明は省略する。
図４に示すように、この実施の形態では荷重付加手段として、捩りコイルばね２７を、フィードブラケット延伸部２４の通紙幅外側の箇所に構成することによって、電磁クラッチ２１の通電オフ後もフィードブラケット延伸部２４を保持できる。
【図面の簡単な説明】
【０００７】
【図１】本発明による自動原稿給紙装置の駆動系の構成および分離部の構成を示す概略斜視図である。
【図２】本発明による自動原稿給紙装置の駆動系の構成および分離部の構成の第１の実施の形態を示す概略斜視図である。
【図３】本発明による自動原稿給紙装置の駆動系の構成および分離部の構成の第２の実施の形態を示す概略斜視図である。
【図４】本発明による自動原稿給紙装置の駆動系の構成および分離部の構成の第３の実施の形態を示す概略斜視図である。
【図５】従来からのファクシミリの読み取り部における自動原稿給紙装置を示す概略図である。
【図６】自動原稿給紙装置の駆動系の構成および分離部の構成を示す概略斜視図である。
【図７】ピックアップローラの待機位置への動作を説明する概略斜視図である。
【符号の説明】
【０００８】
１  ピックアップローラ
２  フィードローラ
４  原稿
１４  フィードブラケット
１６  ばねクラッチ
２４  フィードブラケット延伸部
２５  引っ張りばね
２６  圧縮ばね
２７  捩りコイルばね
【図１】
2005200184.tif 000003
【図２】
2005200184.tif 000004
【図３】
2005200184.tif 000005
【図４】
2005200184.tif 000006
【図５】
2005200184.tif 000007
【図６】
2005200184.tif 000008
【図７】
2005200184.tif 000009